【事件の表示】
　特願２０１３−５３２８８３「マルチ・ビットＡＣＫ／ＮＡＫのための制御チャネル・リソース」拒絶査定不服審判事件〔平成２４年　４月１２日国際公開、ＷＯ２０１２／０４７９０８、平成２５年１２月１９日国内公表、特表２０１３−５４５３４９〕について、次のとおり審決する。
【結　論】
　本件審判の請求は、成り立たない。
【理　由】
第１　手続の経緯
　本願は，２０１１年(平成２３年)１０月４日(優先権主張　２０１０年(平成２２年)１０月４日　米国，２０１１年(平成２３年)１０月３日　米国)を国際出願日とする出願であって，平成２６年３月１４日付けで拒絶理由が通知され，同年７月３１日付けで意見書とともに手続補正書の提出がなされ，同年９月２日付けで拒絶査定され，平成２８年３月１１日付けで拒絶理由を当審から通知し，同年７月１２日付けで意見書とともに手続補正書が提出なされたものである。
第２．本願発明
　　１．平成２８年７月１２日付け手続補正
　平成２８年７月１２日付け手続補正においては，平成２６年７月３１日付け手続補正書の特許請求の範囲における，
「　　【請求項１】
　無線通信の方法であって、
　マルチ・キャリア・コンフィギュレーションにおける少なくとも１つの二次ダウンリンク成分キャリアに対応する、アップリンク送信のためのＡＣＫ／ＮＡＫリソースの複数のセットの上部レイヤ・コンフィギュレーションを受信することと、
　前記複数のセットにおけるＡＣＫ／ＮＡＫリソースの物理レイヤ・インジケータを受信することとを備え、
　前記ＡＣＫ／ＮＡＫリソースの複数のセットは、前記二次ダウンリンク成分キャリアの送信モードでの少なくとも一部分に基づいて決定され、
　前記物理レイヤ・インジケータは、前記複数のセットのためのインデックスを備え、
　一次成分キャリアの制御チャネル要素（ＣＣＥ）での少なくとも一部分に基づいて、前記複数のセットから第１のＡＣＫ／ＮＡＣＫリソースを決定することと、
　前記インデックスに対応する各セットの要素での少なくとも一部分に基づいて、前記複数のセットから第２のＡＣＫ／ＮＡＣＫリソースを決定することと
を備える方法。
　　【請求項２】
　前記一次成分キャリアと前記二次成分キャリアで、ダウンリンク・データ送信を受信することと、
　前記ＡＣＫ／ＮＡＫリソースを用いて、物理アップリンク制御チャネルで、前記ダウンリンク・データ送信のためのＡＣＫ／ＮＡＫ情報を送信することと
をさらに備える請求項１に記載の方法。
　　【請求項３】
　前記物理レイヤ・インジケータを、キャリア間信号として受信すること、をさらに備える請求項１に記載の方法。
　　【請求項４】
　前記物理レイヤ・インジケータは、前記二次成分キャリアのための送信電力制御（ＴＰＣ）コマンドを備える、請求項３に記載の方法。
　　【請求項５】
　前記物理レイヤ・インジケータは、前記複数のセットへのオフセットを備える、請求項１に記載の方法。
　　【請求項６】
　前記物理レイヤ・インジケータは、物理アップリンク制御チャネル（ＰＵＣＣＨ）フォーマット１ｂベースのチャネル選択をサポートする、請求項１に記載の方法。
　　【請求項７】
　前記物理レイヤ・インジケータは、物理ダウンリンク制御チャネル（ＰＤＣＣＨ）二次成分キャリアの送信電力制御ビットを備える、請求項１に記載の方法。
　　【請求項８】
　前記上部レイヤは、ラジオ・リソース制御（ＲＲＣ）レイヤを備える、請求項１に記載の方法。
　　【請求項９】
　前記複数のセットは、ユーザ機器（ＵＥ）のために設定されたダウンリンク成分キャリアの数と、前記ＵＥの送信モードとに基づく、請求項１に記載の方法。
　　【請求項１０】
　各セットは、ダウンリンク制御情報ビットの数に基づくリソースの数を備える、請求項１に記載の方法。
　　【請求項１１】
　前記物理レイヤ・インジケータは、ＡＣＫ／ＮＡＫリソース・インジケータ（ＡＲＩ）を備える、請求項１に記載の方法。
　　【請求項１２】
　前記アップリンク送信のためのＡＣＫ／ＮＡＫリソースの複数のセットは、一次ダウンリンク成分キャリアに対応する、請求項１に記載の方法。
　　【請求項１３】
　無線通信の方法であって、
　二次ダウンリンク成分キャリアの送信モードでの少なくとも一部分に基づいて、ユーザ機器（ＵＥ）のためのＡＣＫ／ＮＡＫリソースの複数のセットを設定することと、
　前記複数のセットにおけるＡＣＫ／ＮＡＫリソースの物理レイヤ・インジケータを送信することと
を備える方法。
　　【請求項１４】
　前記設定することは、ダウンリンク制御送信に基づいて、ＡＣＫ／ＮＡＫリソースを暗黙的に設定することを備える、請求項１３に記載の方法。
　　【請求項１５】
　無線通信のための装置であって、
　メモリと、
　前記メモリに接続された少なくとも１つのプロセッサとを備え、
　前記少なくとも１つのプロセッサは、
　マルチ・キャリア・コンフィギュレーションにおける少なくとも１つの二次ダウンリンク成分キャリアに対応する、アップリンク送信のためのＡＣＫ／ＮＡＫリソースの複数のセットの上部レイヤ・コンフィギュレーションを受信し、
　前記複数のセットにおけるＡＣＫ／ＮＡＫリソースの物理レイヤ・インジケータを受信するように構成されており、
　前記ＡＣＫ／ＮＡＫリソースの複数のセットは、前記二次ダウンリンク成分キャリアの送信モードでの少なくとも一部分に基づいて決定され、
　前記物理レイヤ・インジケータは、前記複数のセットのためのインデックスを備え、
　一次成分キャリアの制御チャネル要素（ＣＣＥ）での少なくとも一部分に基づいて、前記複数のセットから第１のＡＣＫ／ＮＡＣＫリソースを決定し、
　前記インデックスに対応する各セットの要素での少なくとも一部分に基づいて、前記複数のセットから第２のＡＣＫ／ＮＡＣＫリソースを決定する
ように構成された、装置。
　　【請求項１６】
　前記プロセッサはさらに、
　前記一次成分キャリアと前記二次成分キャリアで、ダウンリンク・データ送信を受信し、
　前記ＡＣＫ／ＮＡＫリソースを用いて、物理アップリンク制御チャネルで、前記ダウンリンク・データ送信のためのＡＣＫ／ＮＡＫ情報を送信する
ように構成された、請求項１５に記載の装置。
　　【請求項１７】
　前記物理レイヤ・インジケータを、キャリア間信号として受信すること、をさらに備える請求項１５に記載の装置。
　　【請求項１８】
　前記物理レイヤ・インジケータは、前記二次成分キャリアのための送信電力制御（ＴＰＣ）コマンドを備える、請求項１７に記載の装置。
　　【請求項１９】
　前記物理レイヤ・インジケータは、前記複数のセットへのオフセットを備える、請求項１５に記載の装置。
　　【請求項２０】
　前記物理レイヤ・インジケータは、物理アップリンク制御チャネル（ＰＵＣＣＨ）フォーマット１ｂベースのチャネル選択をサポートする、請求項１５に記載の装置。
　　【請求項２１】
　前記物理レイヤ・インジケータは、物理ダウンリンク制御チャネル（ＰＤＣＣＨ）二次成分キャリアの送信電力制御ビットを備える、請求項１５に記載の装置。
　　【請求項２２】
　前記上部レイヤは、ラジオ・リソース制御（ＲＲＣ）レイヤを備える、請求項１５に記載の装置。
　　【請求項２３】
　前記複数のセットは、ユーザ機器（ＵＥ）のために設定されたダウンリンク成分キャリアの数と、前記ＵＥの送信モードとに基づく、請求項１５に記載の装置。
　　【請求項２４】
　各セットは、ダウンリンク制御情報ビットの数に基づくリソースの数を備える、請求項１５に記載の装置。
　　【請求項２５】
　前記物理レイヤ・インジケータは、ＡＣＫ／ＮＡＫリソース・インジケータ（ＡＲＩ）を備える、請求項１５に記載の装置。
　　【請求項２６】
　前記アップリンク送信のためのＡＣＫ／ＮＡＫリソースの複数のセットは、一次ダウンリンク成分キャリアに対応する、請求項１５に記載の装置。
　　【請求項２７】
　無線通信のための装置であって、
　メモリと、
　前記メモリに接続された少なくとも１つのプロセッサとを備え、
　前記少なくとも１つのプロセッサは、
　二次ダウンリンク成分キャリアの送信モードでの少なくとも一部分に基づいて、ユーザ機器（ＵＥ）のためのＡＣＫ／ＮＡＫリソースの複数のセットを設定し、
　前記複数のセットにおけるＡＣＫ／ＮＡＫリソースの物理レイヤ・インジケータを送信するように構成された、装置。
　　【請求項２８】
　前記プロセッサはさらに、ダウンリンク制御送信に基づいて、ＡＣＫ／ＮＡＫリソースを暗黙的に設定するように構成された、請求項２７に記載の装置。
　　【請求項２９】
　無線通信のための装置であって、
　マルチ・キャリア・コンフィギュレーションにおける少なくとも１つの二次ダウンリンク成分キャリアに対応する、アップリンク送信のためのＡＣＫ／ＮＡＫリソースの複数のセットの上部レイヤ・コンフィギュレーションを受信する手段と、
　前記複数のセットにおけるＡＣＫ／ＮＡＫリソースの物理レイヤ・インジケータを受信する手段とを備え、
　前記ＡＣＫ／ＮＡＫリソースの複数のセットは、前記二次ダウンリンク成分キャリアの送信モードでの少なくとも一部分に基づいて決定され、
　前記物理レイヤ・インジケータは、前記複数のセットのためのインデックスを備え、
　一次成分キャリアの制御チャネル要素（ＣＣＥ）での少なくとも一部分に基づいて、前記複数のセットから第１のＡＣＫ／ＮＡＣＫリソースを決定する手段と、
　前記インデックスに対応する各セットの要素での少なくとも一部分に基づいて、前記複数のセットから第２のＡＣＫ／ＮＡＣＫリソースを決定する手段と
を備える装置。
　　【請求項３０】
　無線通信のための装置であって、
　二次ダウンリンク成分キャリアの送信モードでの少なくとも一部分に基づいて、ユーザ機器（ＵＥ）のためのＡＣＫ／ＮＡＫリソースの複数のセットを設定する手段と、
　前記複数のセットにおけるＡＣＫ／ＮＡＫリソースの物理レイヤ・インジケータを送信する手段と
を備える装置。
　　【請求項３１】
　無線ネットワークにおける無線通信のためのコンピュータ・プログラムを記憶した非一時的なコンピュータ読取可能記憶媒体であって、
　前記コンピュータ・プログラムは非一時的なプログラム・コードを有し、前記プログラム・コードは、
　マルチ・キャリア・コンフィギュレーションにおける少なくとも１つの二次ダウンリンク成分キャリアに対応する、アップリンク送信のためのＡＣＫ／ＮＡＫリソースの複数のセットの上部レイヤ・コンフィギュレーションを受信するためのプログラム・コードと、
　前記複数のセットにおけるＡＣＫ／ＮＡＫリソースの物理レイヤ・インジケータを受信するためのプログラム・コードとを備え、
　前記ＡＣＫ／ＮＡＫリソースの複数のセットは、前記二次ダウンリンク成分キャリアの送信モードでの少なくとも一部分に基づいて決定され、
　前記物理レイヤ・インジケータは、前記複数のセットのためのインデックスを備え、
　一次成分キャリアの制御チャネル要素（ＣＣＥ）での少なくとも一部分に基づいて、前記複数のセットから第１のＡＣＫ／ＮＡＣＫリソースを決定するためのプログラム・コードと、
　前記インデックスに対応する各セットの要素での少なくとも一部分に基づいて、前記複数のセットから第２のＡＣＫ／ＮＡＣＫリソースを決定するためのプログラム・コードとを備えるコンピュータ読取可能記憶媒体。
　　【請求項３２】
　無線ネットワークにおける無線通信のためのコンピュータ・プログラムを記憶した非一時的なコンピュータ読取可能記憶媒体であって、
　前記コンピュータ・プログラムは非一時的なプログラム・コードを有し、前記プログラム・コードは、
　二次ダウンリンク成分キャリアの送信モードでの少なくとも一部分に基づいて、ユーザ機器（ＵＥ）のためのＡＣＫ／ＮＡＫリソースの複数のセットを設定するためのプログラム・コードと、
　前記複数のセットにおけるＡＣＫ／ＮＡＫリソースの物理レイヤ・インジケータを送信するためのプログラム・コードと
を備えるコンピュータ読取可能記憶媒体。」とある記載が，
「　　【請求項１】
　無線通信の方法であって、
　マルチ・キャリア・コンフィギュレーションにおける少なくとも１つの二次ダウンリンク成分キャリアに対応する、アップリンク送信のためのＡＣＫ／ＮＡＫリソースの複数のセットの上部レイヤ・コンフィギュレーションを受信することと、
　前記複数のセットにおけるＡＣＫ／ＮＡＫリソースの物理レイヤ・インジケータを受信することとを備え、
　前記ＡＣＫ／ＮＡＫリソースの複数のセットは、前記少なくとも１つの二次ダウンリンク成分キャリアの送信モードでの少なくとも一部分に基づいて決定され、
　前記物理レイヤ・インジケータは、前記複数のセットのためのインデックスを備え、
　一次成分キャリアの制御チャネル要素（ＣＣＥ）での少なくとも一部分に基づいて、第１のＡＣＫ／ＮＡＣＫリソースを決定することと、
　前記インデックスに対応する各セットの要素での少なくとも一部分に基づいて、前記複数のセットから第２のＡＣＫ／ＮＡＣＫリソースを決定することとを備え、
　前記第１のＡＣＫ／ＮＡＣＫリソースは、前記一次成分キャリアで、第１の受信したダウンリンク・データ送信に対して決定され、
　前記第２のＡＣＫ／ＮＡＣＫリソースは、前記少なくとも１つの二次成分キャリアで、第２の受信したダウンリンク・データ送信に対して決定される、方法。
　　【請求項２】
　前記第１のＡＣＫ／ＮＡＫリソースまたは前記第２のＡＣＫ／ＮＡＫリソースを用いて、物理アップリンク制御チャネルで、前記第１のまたは第２の受信したダウンリンク・データ送信のためのＡＣＫ／ＮＡＫ情報を送信することとをさらに備える請求項１に記載の方法。
　　【請求項３】
　前記物理レイヤ・インジケータを、キャリア間信号として受信すること、をさらに備える請求項１に記載の方法。
　　【請求項４】
　前記物理レイヤ・インジケータは、前記少なくとも１つの二次ダウンリンク成分キャリアのための送信電力制御（ＴＰＣ）コマンドを備える、請求項３に記載の方法。
　　【請求項５】
　前記物理レイヤ・インジケータは、前記複数のセットへのオフセットを備える、請求項１に記載の方法。
　　【請求項６】
　前記物理レイヤ・インジケータは、物理アップリンク制御チャネル（ＰＵＣＣＨ）フォーマット１ｂベースのチャネル選択をサポートする、請求項１に記載の方法。
　　【請求項７】
　前記物理レイヤ・インジケータは、物理ダウンリンク制御チャネル（ＰＤＣＣＨ）二次成分キャリアの送信電力制御ビットを備える、請求項１に記載の方法。
　　【請求項８】
　前記上部レイヤは、ラジオ・リソース制御（ＲＲＣ）レイヤを備える、請求項１に記載の方法。
　　【請求項９】
　前記複数のセットは、ユーザ機器（ＵＥ）のために設定されたダウンリンク成分キャリアの数と、前記ＵＥの送信モードとに基づく、請求項１に記載の方法。
　　【請求項１０】
　各セットは、ダウンリンク制御情報ビットの数に基づくリソースの数を備える、請求項１に記載の方法。
　　【請求項１１】
　前記物理レイヤ・インジケータは、ＡＣＫ／ＮＡＫリソース・インジケータ（ＡＲＩ）を備える、請求項１に記載の方法。
　　【請求項１２】
　前記アップリンク送信のためのＡＣＫ／ＮＡＫリソースの複数のセットは、一次ダウンリンク成分キャリアに対応する、請求項１に記載の方法。
　　【請求項１３】
　無線通信の方法であって、
　二次ダウンリンク成分キャリアの送信モードでの少なくとも一部分に基づいて、ユーザ機器（ＵＥ）のためのＡＣＫ／ＮＡＫリソースの複数のセットを設定することと、
　前記複数のセットにおけるＡＣＫ／ＮＡＫリソースの物理レイヤ・インジケータを送信することとを備える方法。
　　【請求項１４】
　前記設定することは、ダウンリンク制御送信に基づいて、ＡＣＫ／ＮＡＫリソースを暗黙的に設定することを備える、請求項１３に記載の方法。
　　【請求項１５】
　無線通信のための装置であって、
　メモリと、
　前記メモリに接続された少なくとも１つのプロセッサとを備え、
　前記少なくとも１つのプロセッサは、
　マルチ・キャリア・コンフィギュレーションにおける少なくとも１つの二次ダウンリンク成分キャリアに対応する、アップリンク送信のためのＡＣＫ／ＮＡＫリソースの複数のセットの上部レイヤ・コンフィギュレーションを受信し、
　前記複数のセットにおけるＡＣＫ／ＮＡＫリソースの物理レイヤ・インジケータを受信するように構成されており、
　前記ＡＣＫ／ＮＡＫリソースの複数のセットは、前記少なくとも１つの二次ダウンリンク成分キャリアの送信モードでの少なくとも一部分に基づいて決定され、
　前記物理レイヤ・インジケータは、前記複数のセットのためのインデックスを備え、
　一次成分キャリアの制御チャネル要素（ＣＣＥ）での少なくとも一部分に基づいて、前記複数のセットから第１のＡＣＫ／ＮＡＣＫリソースを決定し、
　前記インデックスに対応する各セットの要素での少なくとも一部分に基づいて、前記複数のセットから第２のＡＣＫ／ＮＡＣＫリソースを決定するように構成され、
　前記第１のＡＣＫ／ＮＡＣＫリソースは、前記一次成分キャリアで、第１の受信したダウンリンク・データ送信に対して決定され、
　前記第２のＡＣＫ／ＮＡＣＫリソースは、前記少なくとも１つの二次成分キャリアで、第２の受信したダウンリンク・データ送信に対して決定される、装置。
　　【請求項１６】
　前記プロセッサはさらに、
　前記第１のＡＣＫ／ＮＡＫリソースまたは前記第２のＡＣＫ／ＮＡＫリソースを用いて、物理アップリンク制御チャネルで、前記第１のまたは第２の受信したダウンリンク・データ送信のためのＡＣＫ／ＮＡＫ情報を送信するように構成された、請求項１５に記載の装置。
　　【請求項１７】
　前記物理レイヤ・インジケータを、キャリア間信号として受信すること、をさらに備える請求項１５に記載の装置。
　　【請求項１８】
　前記物理レイヤ・インジケータは、前記少なくとも１つの二次ダウンリンク成分キャリアのための送信電力制御（ＴＰＣ）コマンドを備える、請求項１７に記載の装置。
　　【請求項１９】
　前記物理レイヤ・インジケータは、前記複数のセットへのオフセットを備える、請求項１５に記載の装置。
　　【請求項２０】
　前記物理レイヤ・インジケータは、物理アップリンク制御チャネル（ＰＵＣＣＨ）フォーマット１ｂベースのチャネル選択をサポートする、請求項１５に記載の装置。
　　【請求項２１】
　前記物理レイヤ・インジケータは、物理ダウンリンク制御チャネル（ＰＤＣＣＨ）二次成分キャリアの送信電力制御ビットを備える、請求項１５に記載の装置。
　　【請求項２２】
　前記上部レイヤは、ラジオ・リソース制御（ＲＲＣ）レイヤを備える、請求項１５に記載の装置。
　　【請求項２３】
　前記複数のセットは、ユーザ機器（ＵＥ）のために設定されたダウンリンク成分キャリアの数と、前記ＵＥの送信モードとに基づく、請求項１５に記載の装置。
　　【請求項２４】
　各セットは、ダウンリンク制御情報ビットの数に基づくリソースの数を備える、請求項１５に記載の装置。
　　【請求項２５】
　前記物理レイヤ・インジケータは、ＡＣＫ／ＮＡＫリソース・インジケータ（ＡＲＩ）を備える、請求項１５に記載の装置。
　　【請求項２６】
　前記アップリンク送信のためのＡＣＫ／ＮＡＫリソースの複数のセットは、一次ダウンリンク成分キャリアに対応する、請求項１５に記載の装置。
　　【請求項２７】
　無線通信のための装置であって、
　メモリと、
　前記メモリに接続された少なくとも１つのプロセッサとを備え、
　前記少なくとも１つのプロセッサは、
　二次ダウンリンク成分キャリアの送信モードでの少なくとも一部分に基づいて、ユーザ機器（ＵＥ）のためのＡＣＫ／ＮＡＫリソースの複数のセットを設定し、
　前記複数のセットにおけるＡＣＫ／ＮＡＫリソースの物理レイヤ・インジケータを送信するように構成された、装置。
　　【請求項２８】
　前記プロセッサはさらに、ダウンリンク制御送信に基づいて、ＡＣＫ／ＮＡＫリソースを暗黙的に設定するように構成された、請求項２７に記載の装置。
　　【請求項２９】
　無線通信のための装置であって、
　マルチ・キャリア・コンフィギュレーションにおける少なくとも１つの二次ダウンリンク成分キャリアに対応する、アップリンク送信のためのＡＣＫ／ＮＡＫリソースの複数のセットの上部レイヤ・コンフィギュレーションを受信する手段と、
　前記複数のセットにおけるＡＣＫ／ＮＡＫリソースの物理レイヤ・インジケータを受信する手段とを備え、
　前記ＡＣＫ／ＮＡＫリソースの複数のセットは、前記少なくとも１つの二次ダウンリンク成分キャリアの送信モードでの少なくとも一部分に基づいて決定され、
　前記物理レイヤ・インジケータは、前記複数のセットのためのインデックスを備え、
　一次成分キャリアの制御チャネル要素（ＣＣＥ）での少なくとも一部分に基づいて、第１のＡＣＫ／ＮＡＣＫリソースを決定する手段と、
　前記インデックスに対応する各セットの要素での少なくとも一部分に基づいて、前記複数のセットから第２のＡＣＫ／ＮＡＣＫリソースを決定する手段とを備え、
　前記第１のＡＣＫ／ＮＡＣＫリソースは、前記一次成分キャリアで、第１の受信したダウンリンク・データ送信に対して決定され、
　前記第２のＡＣＫ／ＮＡＣＫリソースは、前記少なくとも１つの二次成分キャリアで、第２の受信したダウンリンク・データ送信に対して決定される、装置。
　　【請求項３０】
　無線通信のための装置であって、
　二次ダウンリンク成分キャリアの送信モードでの少なくとも一部分に基づいて、ユーザ機器（ＵＥ）のためのＡＣＫ／ＮＡＫリソースの複数のセットを設定する手段と、
　前記複数のセットにおけるＡＣＫ／ＮＡＫリソースの物理レイヤ・インジケータを送信する手段とを備える装置。
　　【請求項３１】
　無線ネットワークにおける無線通信のためのコンピュータ・プログラムを記憶した非一時的なコンピュータ読取可能記憶媒体であって、
　前記コンピュータ・プログラムは非一時的なプログラム・コードを有し、前記プログラム・コードは、
　マルチ・キャリア・コンフィギュレーションにおける少なくとも１つの二次ダウンリンク成分キャリアに対応する、アップリンク送信のためのＡＣＫ／ＮＡＫリソースの複数のセットの上部レイヤ・コンフィギュレーションを受信するためのプログラム・コードと、
　前記複数のセットにおけるＡＣＫ／ＮＡＫリソースの物理レイヤ・インジケータを受信するためのプログラム・コードとを備え、
　前記ＡＣＫ／ＮＡＫリソースの複数のセットは、前記少なくとも１つの二次ダウンリンク成分キャリアの送信モードでの少なくとも一部分に基づいて決定され、
　前記物理レイヤ・インジケータは、前記複数のセットのためのインデックスを備え、
　一次成分キャリアの制御チャネル要素（ＣＣＥ）での少なくとも一部分に基づいて、第１のＡＣＫ／ＮＡＣＫリソースを決定するためのプログラム・コードと、
　前記インデックスに対応する各セットの要素での少なくとも一部分に基づいて、前記複数のセットから第２のＡＣＫ／ＮＡＣＫリソースを決定するためのプログラム・コードとを備え、
　前記第１のＡＣＫ／ＮＡＣＫリソースは、前記一次成分キャリアで、第１の受信したダウンリンク・データ送信に対して決定され、
　前記第２のＡＣＫ／ＮＡＣＫリソースは、前記少なくとも１つの二次成分キャリアで、第２の受信したダウンリンク・データ送信に対して決定される、コンピュータ読取可能記憶媒体。
　　【請求項３２】
　無線ネットワークにおける無線通信のためのコンピュータ・プログラムを記憶した非一時的なコンピュータ読取可能記憶媒体であって、
　前記コンピュータ・プログラムは非一時的なプログラム・コードを有し、前記プログラム・コードは、
　二次ダウンリンク成分キャリアの送信モードでの少なくとも一部分に基づいて、ユーザ機器（ＵＥ）のためのＡＣＫ／ＮＡＫリソースの複数のセットを設定するためのプログラム・コードと、
　前記複数のセットにおけるＡＣＫ／ＮＡＫリソースの物理レイヤ・インジケータを送信するためのプログラム・コードとを備えるコンピュータ読取可能記憶媒体。」となった。(請求人の附した下線は省略。)
　　２．本願発明
　平成２８年７月１２日付け手続補正により特許請求の範囲の記載は上記のとおりとなったところ，該特許請求の範囲の請求項１３に記載された発明(以下「本願発明」という。)は，次の事項により特定されるとおりのものである。
　　【請求項１３】
　無線通信の方法であって、
　二次ダウンリンク成分キャリアの送信モードでの少なくとも一部分に基づいて、ユーザ機器（ＵＥ）のためのＡＣＫ／ＮＡＫリソースの複数のセットを設定することと、
　前記複数のセットにおけるＡＣＫ／ＮＡＫリソースの物理レイヤ・インジケータを送信することとを備える方法。
(該特許請求の範囲における請求項１３の記載を再掲。)
第２　当審から通知した拒絶理由の概要
　平成２８年３月１１日付けで，当審から通知した拒絶理由(以下「当審拒絶理由」という。)の概要は次のとおりである。
［理由１］本件出願の下記の請求項に係る発明は、その出願の日前の特許出願であって、その出願後に特許掲載公報の発行又は出願公開がされた下記の特許出願の願書に最初に添付された明細書、特許請求の範囲又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができない。
○理由１（２９条の２）について
・請求項１に係る発明に対して
　（１）先願及び記載事項
　先願（特願２０１１−２１３４８８号（特開２０１２−９５２８８号））の願書に最初に添付された明細書、特許請求の範囲又は図面（以下「先願当初明細書等」という。）には次の事項が記載（下線は当審が付与。）されている。
　　　(略)
（２）当審の判断
　ア　請求項１に係る発明における方法は、不明瞭な記載はあるものの、要するに、
　ユーザ機器において、基地局から受信する「上部レイヤ・コンフィギュレーション」により「ＡＣＫ／ＮＡＫリソースの複数のセット」が設定され、基地局から受信する「物理レイヤ・インジケータ」の「インデックス」に基づいて、該「ＡＣＫ／ＮＡＫリソースの複数のセット」の中から「第２のＡＣＫ／ＮＡＫリソース」を決定すること、
を想定したものであり、さらに、
　該「ＡＣＫ／ＮＡＫリソースの複数のセット」は、「二次ダウンリンク成分キャリア」の「送信モード」に基づいて決定されることと、
　ユーザ機器において、「一次成分キャリア」の「制御チャネル要素（ＣＣＥ）」に基づいて、「第１のＡＣＫ／ＮＡＣＫリソース」を決定することと
を備えるものと解される。
　イ　一方、上記（１）の記載によれば、先願当初明細書等には、
　移動局装置２００において、基地局装置１００によって「ＲＲＣシグナリング」を使用してリソースの候補となる「複数のリソースのセット」が設定され、ＰＤＣＣＨで送信される「リソース指示情報（ARI）」にセットされた１つの値に従って、「複数のリソースのセット」の中から、実際に割り当てる「リソース」を決定し、
　設定される「複数のリソースのセット」は、「セカンダリセル２」に対する「下りリンク送信モード」が「Ｎｏｎ−ＭＩＭＯモード」の場合と「ＭＩＭＯモード」の場合とで異なり、
　移動局装置２００において、「プライマリセル」でのＰＤＣＣＨの送信に使用される最初の「ＣＣＥ」を用いて、「リソース」が暗示的に割り当てられる
発明が記載されている。 
　ここで、先願当初明細書等に記載の「ＲＲＣシグナリング」、「リソース指示情報（ARI）」、「プライマリセル」は、それぞれ請求項１に係る発明の「上部レイヤ・コンフィギュレーション」、「物理レイヤ・インジケータ」、「一次成分キャリア」に相当する。
　また、先願当初明細書等に記載の「リソース」は、「移動局装置２００」が、チャネル選択を使用して「ＡＣＫ／ＮＡＣＫ」を示す情報を送信するためのものであるから、「ＡＣＫ／ＮＡＣＫリソース」といえる。
　そして、設定される「複数のリソースのセット」は、「セカンダリセル２」に対する「下りリンク送信モード」、つまり「二次ダウンリンク成分キャリア」の「送信モード」が「Ｎｏｎ−ＭＩＭＯモード」の場合と「ＭＩＭＯモード」の場合とで異なることから、「二次ダウンリンク成分キャリア」の「送信モード」に基づいて決定されるものといえる。
　そうすると、請求項１に係る発明は、先願当初明細書等に記載された発明であるといえる。
　よって、請求項１に係る発明は、先願当初明細書等に記載された発明と同一である。
請求項１３に係る発明に対して
　上記「請求項１に係る発明に対して」の（１）の記載によれば、先願当初明細書等には、基地局装置１００は、移動局装置２００に対して「ＲＲＣシグナリング」を使用してリソースの候補となる「複数のリソースのセット」を設定し、ＰＤＣＣＨで「リソース指示情報（ARI）」を送信することによって「リソース」を指示する発明が記載されている。
　そして、上記「請求項１に係る発明に対して」の（２）イに述べたことを踏まえれば、請求項１３に係る発明は、先願当初明細書等に記載された発明であるといえる。
　よって、請求項１３に係る発明は、先願当初明細書等に記載された発明と同一である。
　　　(略)
○まとめ
（１）理由１（２９条の２）について
　本件出願の請求項１から３２に係る発明は，先願の願書に最初に添付された明細書、特許請求の範囲又は図面に記載された発明と同一である。
　　　(略)
○引用文献等一覧
１．特願２０１１−２１３４８８号（特開２０１２−９５２８８号）
第３　平成２８年７月１２日付け意見書の概要
　平成２８年７月１２日付け意見書には次の記載がある。(下線は当審が付与。)
　（３）理由１
　審判官は新たに引例１を引用され、本願の請求項１〜３２の発明は、引例１の発明から容易になし得たと認定されていました。
　補正後の請求項１では、「マルチ・キャリア・コンフィギュレーションにおける少なくとも１つの二次ダウンリンク成分キャリアに対応する、アップリンク送信のためのＡＣＫ／ＮＡＫリソースの複数のセットの上部レイヤ・コンフィギュレーションを受信することと、……前記ＡＣＫ／ＮＡＫリソースの複数のセットは、前記少なくとも１つの二次ダウンリンク成分キャリアの送信モードでの少なくとも一部分に基づいて決定され」ると規定しています。
　拒絶理由では、引例１のさまざまな段落で、本願の請求項１のすべての特徴が開示されていると認定されており、引例１では、以下を開示しています。
　「例えば、基地局装置１００は、セカンダリセル２で送信されるＰＤＣＣＨを使用してセカンダリセル２におけるＰＤＳＣＨをスケジュールする場合には、第４のリソースを、ＲＲＣシグナリングを使用して明示的に設定する。また、基地局装置１００は、移動局装置２００に対して、事前にＲＲＣシグナリングを使用して第４のリソースの候補を設定し、セカンダリセル２で送信されるＰＤＣＣＨを使用してセカンダリセル２におけるＰＤＳＣＨをスケジュールする場合には、ＰＤＣＣＨで送信されるリソース指示情報（ＡＲＩ）によって、実際に割り当てる第４のリソースを明示的に指示することができる。」（引例１の段落［０１９３］参照）
　すなわち、引例１は、セカンダリセル１および２に対するＲＲＣシグナリングを使用して、第４のリソースを割り当てるまたは設定する基地局を開示しています。さらに引例１は、以下を開示しています。
　「図９は、移動局装置２００がＡＣＫ／ＮＡＣＫを示す情報を送信する際の基地局装置１００によるリソース割り当てを説明する図である。
　図９において、基地局装置１００は、移動局装置２００に対して、３つのセル（プライマリセル、セカンダリセル１、セカンダリセル２）を設定していることを示している。
　また、基地局装置１００は、移動局装置２００に対して、各セルに対する下りリンク送信モードとして、プライマリセルに対してＮｏｎ−ＭＩＭＯモードを、セカンダリセル１に対してＮｏｎ−ＭＩＭＯモードを、セカンダリセル２に対してＭＩＭＯモードを設定していることを示している。」（引例１の段落［０２０１］参照）
　引例１は、セカンダリセル１および２に対する下りリンク送信のための基地局割り当てリソースを開示しており、移動局は、受信した下りリンク送信で、ＡＣＫ／ＮＡＣＫを送信して、肯定または否定フィードバックを提供します。引例１は、どのようにＡＣＫ／ＮＡＣＫが割り当てられるかについて何も述べておりません。したがいまして、引例１は、少なくとも補正後の請求項１で規定している「前記ＡＣＫ／ＮＡＫリソースの複数のセットは、前記少なくとも１つの二次ダウンリンク成分キャリアの送信モードでの少なくとも一部分に基づいて決定され」ることを教示していないと思料致します。
　したがいまして、補正後の請求項１およびその従属請求項の発明は、引例１の発明から容易になし得ないものと思料致します。
　
補正後の独立請求項１５、２９、３１の発明も、補正後の請求項１の発明と同様な構成要件を具備していることから、補正後の独立請求項１５、２９、３１およびその従属請求項の発明も、引例１の発明から容易になし得ないものと思料致します
　
さらに、独立請求項１３、２７、３０、３２は、「二次ダウンリンク成分キャリアの送信モードでの少なくとも一部分に基づいて、ユーザ機器（ＵＥ）のためのＡＣＫ／ＮＡＫリソースの複数のセット」を構成するように規定しており、補正後の請求項１で提示したものと類似した理由により、独立請求項１３、２７、３０、３２およびその従属請求項の発明も、引例１の発明から容易になし得ないものと思料致します
第４　先願発明
　　１．先願及び先願明細書等記載事項
　　　(１)　　本願の出願の日前の他の特許出願である特願２０１１−２１３４８８号(平成２３年９月２８日出願(優先権主張　平成２２年９月２９日　日本))(特開２０１２−９５２８８号)(平成２４年５月１７日公開))(以下「先願」という。)の願書に最初に添付された明細書，特許請求の範囲又は図面(以下，当審拒絶理由と同様に「先願明細書等」という。)には，次の事項が記載されている。
　　　　ア　記載事項１
【技術分野】
【０００１】　本発明は、基地局装置および移動局装置から構成される移動通信システム、通信方法および集積回路に関する。
　　　　イ　記載事項２
【０００５】
　また、ＬＴＥ−Ａでは、ＬＴＥと同一のチャネル構造を持つ連続および／または不連続な複数の周波数帯域（キャリアとも呼称できる）（以下、「セル（Cell）」または「コンポーネントキャリア（CC：Component Carrier）」と呼称する）を複合的に使用して、１つの広帯域な周波数帯として運用する（セル集約：Cell aggregationまたはキャリア集約：Carrier aggregationと呼称される）ことが検討されている。さらに、基地局装置と移動局装置が、広帯域な周波数帯域をより柔軟に使用して通信するために、下りリンクの通信に使用される周波数帯域と上りリンクの通信に使用される周波数帯域を異なる周波数帯域幅とする（非対称セル集約：Asymmetric cell aggregationまたは非対称周波数帯域集約：Asymmetric carrier aggregation）ことも提案されている（非特許文献1）。
【０００６】
　また、ＬＴＥ−Ａでは、基地局装置が、ＭＩＭＯ ＳＭ（Multiple Input Multiple Output Spatial Multiplexing）を適用して、下りリンクトランスポートブロック（Downlink TB：Downlink Transport Block）を移動局装置へ送信することが提案されている（非特許文献2）。ここで、ＭＩＭＯ ＳＭとは、複数の送信アンテナポートおよび複数の受信アンテナポートによって実現される複数の空間次元のチャネルに対して複数の信号が多重されて送受信が行なわれる技術である。ここで、アンテナポートとは信号処理に用いられる論理的なアンテナのことを示し、１つのアンテナポートは１つの物理的なアンテナによって構成されてもよいし、複数の物理的なアンテナによって構成されてもよい。また、１つの送信アンテナポートは１つの参照信号と対応されてもよい。
【０００７】
　例えば、基地局装置は、物理下りリンク共用チャネル（PDSCH：Physical Downlink Shared Channel）にＭＩＭＯ ＳＭを適用して、複数の（例えば、2つまでの）下りリンク共用チャネル（DL-SCH：Downlink Shared Channel）に対するトランスポートブロックを移動局装置へ送信することが可能である。すなわち、基地局装置は、ＰＤＳＣＨにＭＩＭＯ　ＳＭを適用して、複数の（例えば、2つの）コードワード（CW：Code Word）で移動局装置へ送信する。
【０００８】
　さらに、ＬＴＥ−Ａでは、移動局装置が、下りリンクトランスポートブロックに対するＨＡＲＱにおけるＡＣＫ／ＮＡＣＫ（肯定応答：Positive Acknowledgement／否定応答：Negative Acknowledgement、ACK信号またはNACK信号）を示す情報を基地局装置へ送信する方法として、チャネル選択（Channel Selection）によるＡＣＫ／ＮＡＣＫを示す情報の送信が提案されている（非特許文献3）。
　　　　ウ　記載事項３
【００１０】
　しかしながら、従来の技術では、基地局装置が、ＭＩＭＯ ＳＭを適用して、複数の下りリンクトランスポートブロックを送信する際に、移動局装置が、複数の下りリンクトランスポートブロックに対するＡＣＫ／ＮＡＣＫを示す情報を送信するために使用される上りリンクリソースを、基地局装置によってどのように割り当てるか明らかになっていなかった。
【００１１】
　本発明は、このような事情に鑑みてなされたものであり、基地局装置が、複数の下りリンクトランスポートブロックを送信する際に、移動局装置が、複数の下りリンクトランスポートブロックに対するＡＣＫ／ＮＡＣＫを示す情報を送信するために使用される上りリンクリソースを効率的に決定することができる移動通信システム、移動局装置、基地局装置、通信方法および集積回路を提供することを目的とする。
　　　　エ　記載事項４
【０１２３】
　［チャネル選択によるＡＣＫ／ＮＡＣＫを示す情報の送信について］
　図５は、チャネル選択（Channel Selection）によるＡＣＫ／ＮＡＣＫを示す情報の送信に使用されるＡＣＫ／ＮＡＣＫテーブルの一例を示す図である。基地局装置１００と移動局装置２００は、図５に示すようなＡＣＫ／ＮＡＣＫテーブルを使用することによって、下りリンクデータに対するＡＣＫ／ＮＡＣＫを示す情報を送受信する。ここで、図５に示すようなＡＣＫ／ＮＡＣＫテーブルは、仕様等によって予め定義され、基地局装置１００と移動局装置２００の間で既知の情報としておく。
【０１２４】
　例えば、基地局装置１００と移動局装置２００は、基地局装置１００によって設定されたセルや、基地局装置１００によって設定された各セルに対する下りリンク送信モードなどに応じて、２ビットＡＣＫ／ＮＡＣＫテーブル（2つのACK/NACKを示す情報を送信する際に使用するACK/NACKテーブル）、３ビットＡＣＫ／ＮＡＣＫテーブル（3つのACK/NACKを示す情報を送信する際に使用するACK/NACKテーブル）、４ビットＡＣＫ／ＮＡＣＫテーブル（4つのACK/NACKを示す情報を送信する際に使用するACK/NACKテーブル）を切り替えて使用する。
　　　　オ　記載事項５
【０１８５】
　図８は、移動局装置２００がＡＣＫ／ＮＡＣＫを示す情報を送信する際の基地局装置１００によるリソース割り当てを説明する図である。図８において、基地局装置１００は、移動局装置２００に対して、３つのセル（プライマリセル、セカンダリセル1、セカンダリセル2）を設定していることを示している。また、基地局装置１００は、移動局装置２００に対して、各セルに対する下りリンク送信モードとして、プライマリセルに対してＮｏｎ−ＭＩＭＯモードを、セカンダリセル１に対してＭＩＭＯモードを、セカンダリセル２に対してＮｏｎ−ＭＩＭＯモードを設定していることを示している。
　　　カ　記載事項６
　【０１９２】
　さらに、図８において、
基地局装置１００は、セカンダリセル２で送信されるＰＤＣＣＨを使用してセカンダリセル２におけるＰＤＳＣＨをスケジュールする場合には、移動局装置２００に対して、事前に第４のリソース（第4のPUCCHリソース）を明示的に設定する
　【０１９３】
　例えば、基地局装置１００は、セカンダリセル２で送信されるＰＤＣＣＨを使用してセカンダリセル２におけるＰＤＳＣＨをスケジュールする場合には、第４のリソースを、ＲＲＣシグナリングを使用して明示的に設定する。また、基地局装置１００は、移動局装置２００に対して、事前にＲＲＣシグナリングを使用して第４のリソースの候補を設定し、セカンダリセル２で送信されるＰＤＣＣＨを使用してセカンダリセル２におけるＰＤＳＣＨをスケジュールする場合には、ＰＤＣＣＨで送信されるリソース指示情報（ARI）によって、実際に割り当てる第４のリソースを明示的に指示することができる。
　　　キ　記載事項７
【０２０１】
　
図９は、移動局装置２００がＡＣＫ／ＮＡＣＫを示す情報を送信する際の基地局装置１００によるリソース割り当てを説明する図である
基地局装置１００は、移動局装置２００に対して、各セルに対する下りリンク送信モードとして、プライマリセルに対してＮｏｎ−ＭＩＭＯモードを、セカンダリセル１に対してＮｏｎ−ＭＩＭＯモードを、セカンダリセル２に対してＭＩＭＯモードを設定していることを示している
【０２０２】
　すなわち、移動局装置２００は、基地局装置１００からプライマリセルにおいてＰＤＳＣＨで送信される１つのトランスポートブロックと、セカンダリセル１においてＰＤＳＣＨで送信される１つのトランスポートブロック、セカンダリセル２においてＰＤＳＣＨで送信される２つまでのトランスポートブロックに対するＡＣＫ／ＮＡＣＫを示す情報を送信する。
【０２０３】
　図９において、基地局装置１００は、プライマリセルにおけるＰＤＣＣＨ（下りリンクアサインメント）を使用してプライマリセルにおけるＰＤＳＣＨ（PDSCHを使用した1つのトランスポートブロックの送信）をスケジュールしていることを示している。また、基地局装置１００は、プライマリセルにおけるＰＤＣＣＨ（下りリンクアサインメント）を使用してセカンダリセル１におけるＰＤＳＣＨ（PDSCHを使用した1つのトランスポートブロックの送信）をスケジュールしていることを示している。また、基地局装置１００は、セカンダリセル２におけるＰＤＣＣＨ（下りリンクアサインメント）を使用してセカンダリセル２におけるＰＤＳＣＨ（PDSCHを使用した2つまでのトランスポートブロックの送信）をスケジュールしていることを示している。
【０２０４】
　ここで、図９において、基地局装置１００は、プライマリセルで送信されるＰＤＣＣＨを使用してプライマリセルにおけるＰＤＳＣＨをスケジュールした場合には、送信したＰＤＣＣＨに対応させて、第１のリソース（第1のPUCCHリソース）を暗示的に割り当てる。例えば、基地局装置１００は、プライマリセルで送信されるＰＤＣＣＨを使用してプライマリセルにおけるＰＤＳＣＨをスケジュールした場合には、ＰＤＣＣＨの送信に使用される最初のＣＣＥ（最初のCCEとオフセット値でも良い）を用いて、第１のリソースを暗示的に割り当てる。
【０２０５】
　また、図９において、基地局装置１００は、プライマリセルで送信されるＰＤＣＣＨを使用してセカンダリセル１におけるＰＤＳＣＨをスケジュールした場合には、送信したＰＤＣＣＨに対応させて、第２のリソース（第2のPUCCHリソース）を暗示的に割り当てる。例えば、基地局装置１００は、プライマリセルで送信されるＰＤＣＣＨを使用してセカンダリセル１におけるＰＤＳＣＨをスケジュールした場合には、ＰＤＣＣＨの送信に使用される最初のＣＣＥ（最初のCCEとオフセット値でも良い）を用いて、第２のリソースを暗示的に割り当てる。
【０２０６】
　さらに、図９において、基地局装置１００は、セカンダリセル２で送信されるＰＤＣＣＨを使用してセカンダリセル２におけるＰＤＳＣＨをスケジュールする場合には、
移動局装置２００に対して、事前に第３のリソース（第3のPUCCHリソース）と第４のリソース（第4のPUCCHリソース）を明示的に設定する
【０２０７】
　例えば、基地局装置１００は、セカンダリセル２で送信されるＰＤＣＣＨを使用してセカンダリセル２におけるＰＤＳＣＨをスケジュールする場合には、第３のリソースと第４のリソースを、ＲＲＣシグナリングを使用して明示的に設定する。また、基地局装置１００は、移動局装置２００に対して、事前にＲＲＣシグナリングを使用して第３のリソースの候補と第４のリソースの候補を設定し、セカンダリセル２で送信されるＰＤＣＣＨを使用してセカンダリセル２におけるＰＤＳＣＨをスケジュールする場合には、ＰＤＣＣＨで送信されるリソース指示情報（ARI）によって、実際に割り当てる第３のリソースと第４のリソースを明示的に指示することができる。
【０２０８】
　ここで、図９において、
基地局装置１００は、ＡＲＩを使用してリソースを指示する際に、事前に、指示するリソース毎に異なるリソースの候補（第3のリソースの候補となる複数のリソースのセット、第4のリソースの候補となる複数のリソースのセット）を設定し、セカンダリセル２のＰＤＣＣＨで送信されるＡＲＩを使用して、異なる１つずつのリソースを指示しても良い
【０２０９】
　すなわち、
基地局装置１００は、セカンダリセル２のＰＤＣＣＨでＡＲＩを送信することによって、指示するリソース毎に異なるリソースの候補の中から１つずつのリソース（第3のリソース、第4のリソース）を指示することができる
【０２１０】
　また、図９に示すように、基地局装置１００は、ＡＲＩを使用してリソースを指示する際に、事前に、指示するリソースに対して共通のリソースの候補（第3のリソース、第4のリソースの候補となる複数のリソースのセット、指示するリソースの候補が複数含まれるリソースグループのセットとも言える）を設定し、セカンダリセル２のＰＤＣＣＨで送信されるＡＲＩを使用して、１つのリソースグループを指示しても良い。
【０２１１】
　すなわち、基地局装置１００は、セカンダリセル２のＰＤＣＣＨでＡＲＩを送信することによって、指示するリソースの候補が複数含まれるリソースグループのセットの中から１つのリソースグループ（第3のリソース、第4のリソースを示すリソースグループ）を指示することができる。
【０２１２】
　上記までに示したように、図９において、基地局装置１００は、プライマリセルに対する下りク送信モードとしてＮｏｎ−ＭＩＭＯモードを設定し、プライマリセルで送信されるＰＤＣＣＨ（下りリンクアサインメント）を使用してプライマリセルにおけるＰＤＳＣＨ（PDSCHを使用した1つのトランスポートブロックの送信）をスケジュールした場合には、第１のリソース（1つのPUCCHリソース）を暗示的に割り当てる。
　　　(２)　先願発明
　上記(１)のアからキによると，先願当初明細書等には次の発明(以下「先願発明」という。)が記載されているということができる。
　移動局装置がＡＣＫ／ＮＡＣＫを示す情報を送信する際の基地局装置によるリソース割り当てであって，
　基地局装置１００は，移動局装置２００に対して，各セルに対する下りリンク送信モードとして，プライマリセルに対してＮｏｎ−ＭＩＭＯモードを，セカンダリセル１に対してＮｏｎ−ＭＩＭＯモードを，セカンダリセル２に対してＭＩＭＯモードを設定し，
　基地局装置１００は，ＡＲＩを使用してリソースを指示する際に，事前に，指示するリソース毎に異なるリソースの候補(第３のリソースの候補となる複数のリソースのセット，第４のリソースの候補となる複数のリソースのセット)を設定し，セカンダリセル２のＰＤＣＣＨで送信されるＡＲＩを使用して，異なる１つずつのリソースを指示し，
　すなわち，基地局装置１００は，セカンダリセル２のＰＤＣＣＨでＡＲＩを送信することによって，指示するリソース毎に異なるリソースの候補の中から１つずつのリソース(第３のリソース，第４のリソース)を指示することができる
　方法。
　　　(３)　先願に係る先の出願
　先願は，平成２２年９月２９日に出願された特願２０１０−２１８０２３号を
先の出願
　ここで，先願発明が，特許法第４１条第２項の規定する先の出願の時にされたものとみなすことができるか(優先権主張の効果が受けられるか)について確認する。
　先の出願に係る当初明細書等には，次の記載がある。
　　　　ア　記載事項１
【技術分野】
　　【０００１】
　本発明は、基地局装置および移動局装置から構成される移動通信システムおよび通信方法に関する。
　　　　イ　記載事項２
　【００８６】
　基地局装置は、下りリンクアサインメントによってＰＤＳＣＨのリソースを割り当てるサービングセルを示す情報（キャリアインディケータ：Carrier Indicator、Carrier Indicator Field）を、下りリンクアサインメントに含めて移動局装置へ送信することができる。また、基地局装置は、上りリンクグラントによってＰＵＳＣＨのリソースを割り当てるサービングセルを示す情報（キャリアインディケータ）を、上りリンクグラントに含めて移動局装置へ送信することができる。ここで、例えば、基地局装置は、下りリンクアサインメントに、キャリアインディケータを含めて送信するかどうかを、ＲＲＣシグナリングを使用して、移動局装置固有に、設定することできる。また、例えば、基地局装置は、上りリンクグラントに、キャリアインディケータを含めて送信するかどうかを、ＲＲＣシグナリングを使用して、移動局装置固有に、設定することできる。
［チャネル選択によるＡＣＫ／ＮＡＣＫを示す情報の送信について］
図５は、チャネル選択（Channel Selection）によるＡＣＫ／ＮＡＣＫを示す情報の送信に使用されるＡＣＫ／ＮＡＣＫテーブルの一例を示す図である。基地局装置と移動局装置は、図５に示すようなＡＣＫ／ＮＡＣＫテーブルを使用することによって、下りリンクデータに対するＡＣＫ／ＮＡＣＫを示す情報を送受信する。ここで、図５に示すようなＡＣＫ／ＮＡＣＫテーブルは、仕様等によって予め定義され、基地局装置と移動局装置の間で既知の情報としておく。
　【００８７】
　例えば、基地局装置と移動局装置は、基地局装置によって設定されたセルや、基地局装置によって設定された各セルに対する下りリンク送信モードなどに応じて、２ビットＡＣＫ／ＮＡＣＫテーブル（２つのＡＣＫ／ＮＡＣＫを示す情報を送信する際に使用するＡＣＫ／ＮＡＣＫテーブル）、３ビットＡＣＫ／ＮＡＣＫテーブル（３つのＡＣＫ／ＮＡＣＫを示す情報を送信する際に使用するＡＣＫ／ＮＡＣＫテーブル）、４ビットＡＣＫ／ＮＡＣＫテーブル（４つのＡＣＫ／ＮＡＣＫを示す情報を送信する際に使用するＡＣＫ／ＮＡＣＫテーブル）を切り替えて使用する
　　　　ウ　記載事項３
　【０１２６】
　ここで、基地局装置によって明示的に設定される（割り当てられる、指示される）リソースとは、基地局装置が、ＲＲＣシグナリングを使用して設定するリソースが含まれる。また、基地局装置によって明示的に設定されるリソースとは、後述する、基地局装置が、リソース指示情報（ＡＲＩ：ACK Resource Indicator、Assignment Resource Indicator）を使用して指示するリソースが含まれる。
　　　エ　記載事項４
　【０１５５】
　さらに、図８において、
基地局装置は
移動局装置に対して、事前に第４のリソース（第４のＰＵＣＣＨリソース）を明示的に設定する
　【０１５６】
　例えば、基地局装置は、セカンダリセル２で送信されるＰＤＣＣＨを使用してセカンダリセル２におけるＰＤＳＣＨをスケジュールする場合には、第４のリソースを、ＲＲＣシグナリングを使用して明示的に設定する。また、基地局装置は、移動局装置に対して、事前にＲＲＣシグナリングを使用して第４のリソースの候補を設定し、セカンダリセル２で送信されるＰＤＣＣＨを使用してセカンダリセル２におけるＰＤＳＣＨをスケジュールする場合には、ＰＤＣＣＨに含まれるリソース指示情報（ＡＲＩ）によって、実際に割り当てる第４のリソースを明示的に指示することができる。
　　　オ　記載事項５
　【０１６４】
　
図９は、移動局装置がＡＣＫ／ＮＡＣＫを示す情報を送信する際の基地局装置によるリソース割り当てを説明する図である
基地局装置は、移動局装置に対して、各セルに対する下りリンク送信モードとして、プライマリセルに対してＮｏｎ−ＭＩＭＯモードを、セカンダリセル１に対してＮｏｎ−ＭＩＭＯモードを、セカンダリセル２に対してＭＩＭＯモードを設定していることを示している
　【０１６５】
　すなわち、移動局装置は、基地局装置からプライマリセルにおいてＰＤＳＣＨで送信される１つのコードワードと、セカンダリセル１においてＰＤＳＣＨで送信される１つのコードワード、セカンダリセル２においてＰＤＳＣＨで送信される２つのコードワードに対するＡＣＫ／ＮＡＣＫを示す情報を送信する。
　【０１６６】
　図９において、基地局装置は、プライマリセルにおけるＰＤＣＣＨ（下りリンクアサインメント）を使用してプライマリセルにおけるＰＤＳＣＨ（ＰＤＳＣＨを使用した１つのコードワードの送信）をスケジュールしていることを示している。また、基地局装置は、プライマリセルにおけるＰＤＣＣＨ（下りリンクアサインメント）を使用してセカンダリセル１におけるＰＤＳＣＨ（ＰＤＳＣＨを使用した１つのコードワードの送信）をスケジュールしていることを示している。また、基地局装置は、セカンダリセル２におけるＰＤＣＣＨ（下りリンクアサインメント）を使用してセカンダリセル２におけるＰＤＳＣＨ（ＰＤＳＣＨを使用した２つのコードワードの送信）をスケジュールしていることを示している。
　【０１６７】
　ここで、図９において、基地局装置は、プライマリセルで送信されるＰＤＣＣＨを使用してプライマリセルにおけるＰＤＳＣＨをスケジュールした場合には、送信したＰＤＣＣＨに対応させて、第１のリソース（第１のＰＵＣＣＨリソース）を暗示的に割り当てる。例えば、基地局装置は、プライマリセルで送信されるＰＤＣＣＨを使用してプライマリセルにおけるＰＤＳＣＨをスケジュールした場合には、送信したＰＤＣＣＨを構成するために使用される最初のＣＣＥ（最初のＣＣＥとオフセット値でも良い）を用いて、第１のリソースを暗示的に割り当てる。
　【０１６８】
　また、図９において、基地局装置は、プライマリセルで送信されるＰＤＣＣＨを使用してセカンダリセル１におけるＰＤＳＣＨをスケジュールした場合には、送信したＰＤＣＣＨに対応させて、第２のリソース（第２のＰＵＣＣＨリソース）を暗示的に割り当てる。例えば、基地局装置は、プライマリセルで送信されるＰＤＣＣＨを使用してセカンダリセルにおけるＰＤＳＣＨをスケジュールした場合には、送信したＰＤＣＣＨを構成するために使用される最初のＣＣＥ（最初のＣＣＥとオフセット値でも良い）を用いて、第２のリソースを暗示的に割り当てる。
　【０１６９】
　さらに、図９において、
基地局装置は
移動局装置に対して、事前に第３のリソース（第３のＰＵＣＣＨリソース）と第４のリソース（第４のＰＵＣＣＨリソース）を明示的に設定する
　【０１７０】
　例えば、基地局装置は、セカンダリセル２で送信されるＰＤＣＣＨを使用してセカンダリセル２におけるＰＤＳＣＨをスケジュールする場合には、第３のリソースと第４のリソースを、ＲＲＣシグナリングを使用して明示的に設定する。また、基地局装置は、移動局装置に対して、事前にＲＲＣシグナリングを使用して第３のリソースと第４のリソースの候補を設定し、セカンダリセル２で送信されるＰＤＣＣＨを使用してセカンダリセル２におけるＰＤＳＣＨをスケジュールする場合には、ＰＤＣＣＨに含まれるリソース指示情報（ＡＲＩ）によって、実際に割り当てる第３のリソースと第４のリソースを明示的に指示することができる。
　【０１７１】
　ここで、図９において、
基地局装置は、ＡＲＩを使用してリソースを指示する際に、事前に、指示するリソース毎に異なるリソースの候補（第３のリソースの候補となる複数のリソースのセット、第４のリソースの候補となる複数のリソースのセット）を設定し、セカンダリセル２で送信されるＰＤＣＣＨに含まれるＡＲＩを使用して、異なる１つずつのリソースを指示しても良い
　【０１７２】
　すなわち、
基地局装置は、セカンダリセル２で送信されるＰＤＣＣＨにＡＲＩを含めて送信することによって、指示するリソース毎に異なるリソースの候補の中から１つずつのリソース（第３のリソース、第４のリソース）を指示することができる
　【０１７３】
　また、図９に示すように、基地局装置は、ＡＲＩを使用してリソースを指示する際に、事前に、指示するリソースに対して共通のリソースの候補（第３のリソース、第４のリソースの候補となる複数のリソースのセット、指示するリソースの候補が複数含まれるリソースグループのセットとも言える）を設定し、セカンダリセル２で送信されるＰＤＣＣＨに含まれるＡＲＩを使用して、１つのリソースグループを指示しても良い。
　【０１７４】
　すなわち、基地局装置は、セカンダリセル２で送信されるＰＤＣＣＨにＡＲＩを含めて送信することによって、指示するリソースの候補が複数含まれるリソースグループのセットの中から１つのリソースグループ（第３のリソース、第４のリソースを示すリソースグループ）を指示することができる。
　【０１７５】
　上記までに示したように、図９において、基地局装置は、プライマリセルに対する下りリンク送信モードとしてＮｏｎ−ＭＩＭＯモードを設定し、プライマリセルで送信されるＰＤＣＣＨ（下りリンクアサインメント）を使用してプライマリセルにおけるＰＤＳＣＨ（ＰＤＳＣＨを使用した１つのコードワードの送信）をスケジュールした場合には、第１のリソース（１つのＰＵＣＣＨリソース）を暗示的に割り当てる。
　　　(４)　先願発明は，先願当初明細書等における明細書【０２０１】，【０２０８】及び【０２０９】の記載に専ら基づくものであるところ，これらは，先の出願に係る当初明細書等における明細書【０１６４】，【０１７１】及び【０１７２】の記載が対応すると解される。
　当該対応を基に両明細書の記載を比較すると，先願発明を特定する事項について，次のことがいえる。
　　　　ア　先願当初明細書等における明細書【０２０８】において「セカンダリセル２
のＰＤＣＣＨで送信されるＡＲＩ
で送信されるＰＤＣＣＨに含まれるＡＲＩ
　　　　イ　先願当初明細書等における明細書【０２０９】において「セカンダリセル２
のＰＤＣＣＨでＡＲＩを送信すること
で送信されるＰＤＣＣＨにＡＲＩを含めて送信すること
　上記ア及びイをみると，先願当初明細書等における明細書【０２０８】及び【０２０９】における記載が意味するところも，先の出願に係る当初明細書等における明細書【０１７１】及び【０１７２】における記載が意味するところも，「ＡＲＩ」が「ＰＤＣＣＨ」で送信され，その「ＰＤＣＣＨ」が「セカンダリセル２」のものであることを意味するということができることは明らかである。
　つまり，両者の意味するところに技術的な相違はなく，単なる表現の差異に過ぎないということができる。
　よって，先願発明は，先の出願に係る当初明細書等に記載された発明であるということができる。
　したがって，先願発明についての特許法第２９条の２本文の適用については，先の出願の時にされたものとみなすことができる。
第５　当審の判断
　　１．対比及び検討
　本願発明と先願発明を比較すると次のことがいえる。
　　　(１)　先願発明が，「無線通信の方法」を開示しているとことは明らかであるから，先願発明と本願発明は，「無線通信の方法」に係る発明である点で一致する。
　　　(２)　先願発明において，基地局装置により「割り当て」られる，若しくは「指示」される「リソース」は，移動局装置が「ＡＣＫ／ＮＡＣＫを示す情報」を送信する際のものであるから，該「リソース」は「移動局装置のためのＡＣＫ／ＮＡＫリソース」ということができる。
　ここで，「移動局装置」が「ユーザ機器(ＵＥ)」とも呼ばれることは例を示すまでもなく周知である。
　そうすると，先願発明における「リソース」は，「ユーザ機器(ＵＥ)のためのＡＣＫ／ＮＡＫリソース」ということができることは明らかである。
　　　(３)　更に，先願発明における「リソース」を指示する際に，基地局装置は，事前に，指示するリソース毎に異なるリソースの候補，指示するリソースごとの候補となる複数のリソースのセットを設定する。
　このことと上記(２)に述べたことを併せみると，この「複数のリソースのセット」を「設定すること」が，「ユーザ機器（ＵＥ）のためのＡＣＫ／ＮＡＫリソースの複数のセットを設定すること」ということができることを示している。
　　　(４)　ここで，先の出願の明細書【０１４８】には「　図８は、移動局装置がＡＣＫ／ＮＡＣＫを示す情報を送信する際の基地局装置によるリソース割り当てを説明する図である。図８において、基地局装置は、移動局装置に対して、３つのセル（プライマリセル、セカンダリセル１、セカンダリセル２）を設定していることを示している。また、
基地局装置は、移動局装置に対して、各セルに対する下りリンク送信モードとして、プライマリセルに対してＮｏｎ−ＭＩＭＯモードを、セカンダリセル１に対してＭＩＭＯモードを、セカンダリセル２に対してＮｏｎ−ＭＩＭＯモードを設定
　そして，先の出願の明細書【０１６４】(上記「第４」の１．(３)の「キ　記載事項５」参照。)及び先願の明細書【０２０１】(上記「第４」の１．(１)の「キ　記載事項７」参照。)には，それぞれに「基地局装置は、移動局装置に対して、
各セルに対する下りリンク送信モードとして
　これらの記載によると，「セカンダリセル」に対する「送信モード」には，「ＭＩＭＯモード」と「Ｎｏｎ−ＭＩＭＯモード」があることは明らかである。
　　　(５)　先願の当初明細書【０２０６】(上記「第４」の１．(１)の「キ　記載事項７」参照。)は「セカンダリ２」に「ＭＩＭＯモード」を用いた図９の場合を記載したものであり，ここには「
基地局装置１００は
移動局装置２００に対して、事前に第３のリソース（第3のPUCCHリソース）と第４のリソース（第4のPUCCHリソース）を明示的に設定する
基地局装置１００は
移動局装置２００に対して、事前に第４のリソース（第4のPUCCHリソース）を明示的に設定する
　ここで，上記【０２０６】及び【０１９２】と同様の記載が，先の出願の明細書【０１６９】及び【０１５５】(上記「第４」の１．(３)の「オ　記載事項５」及び同「エ　記載事項４」それぞれ参照。)にも記載されている。
　以上のことと，上記(４)に述べたこととをみると，「セカンダリセル」が，「ＭＩＭＯモード」の時，移動局装置に対して，第３のリソースと第４のリソースの複数のリソースを設定しており，これに対し，「Ｎｏｎ−ＭＩＭＯモード」の時，移動局装置に対して，第４のリソースのみを設定しているということができる。
　そうすると，先願発明には，「複数のリソースの設定」が，「セカンダリセルの送信モードでの少なくとも一部分に基づいて」されているということができる。
　　　(６)　また，上記のような「各セルに対する下りリンク送信」が「成分キャリア」を利用し行われることは，「ＬＴＥ」若しくは「ＬＴＥ−Ａ」の技術分野において周知であって，「セカンダリセル」の「下りリンク送信」に利用される「成分キャリア」が「二次ダウンリンク成分キャリア」と呼ばれることも，同様に周知である。
　そうすると，ここで上記(３)及び(４)に述べたことも併せみると，先願発明には，「二次ダウンリンク成分キャリアの送信モードでの少なくとも一部分に基づいて、ユーザ機器（ＵＥ）のためのＡＣＫ／ＮＡＫリソースの複数のセットを設定すること」が記載されているということができる。
　　　(７)　先の出願の明細書【０１６９】及び先願の明細書【０２０６】における「移動局装置に対して、事前に
第３のリソース（第３のＰＵＣＣＨリソース）と第４のリソース（第４のＰＵＣＣＨリソース）を明示的に設定する
　ここで，「ＰＵＣＣＨリソース」が「物理レイヤ」の「リソース」であることは技術的に明らかである。
　そして，当該「リソース」は，移動局装置が「ＡＣＫ／ＮＡＣＫを示す情報」を基地局に送信するための「リソース」であることは明白であり，また，該「リソース」を移動局に指示するため，基地局装置は「リソース指示情報(ＡＲＩ)」を移動局装置に対して送信する。
　このことから，先願発明における「ＡＲＩ」は，「ＡＣＫ／ＮＡＫリソースの物理レイヤ・インジケータ」ということができる。
　そうすると，先願発明には，「ＡＣＫ／ＮＡＫリソースの物理レイヤ・インジケータを送信すること」が記載されているということができる。
る。
　このことと，上記(３)から(６)に述べたことを併せみると，先願発明には，「複数のセットにおけるＡＣＫ／ＮＡＫリソースの物理レイヤ・インジケータを送信すること」が記載されているということができるのは当然である。
　　　(８)　以上のとおりであるから，本願発明は，先願発明に記載されたものであるということができる。
　そして，本願の出願の時の出願人は「クゥアルコム・インコーポレイテッド(米国)」であり，一方，先願の出願の時の出願人は「シャープ株式会社(大阪府)」であるから，両者が同一の者であるということもできない。
　また，本願発明の発明者が先の出願に係る発明者(相羽立志，鈴木翔一，中嶋大一郎，大内渉)と同一の者であるということもできない。
第６　むすび
　以上のとおりであるから，本願発明は，特許法第２９条の２の規定に該当し，特許を受けることができないものである。
　したがって，他の請求項について，論及するまでもなく本願は拒絶すべきものである。
　よって，結論のとおり審決する。